(57)【要約】【課題】金または銀等といった特殊色を有するインクリボンを用いた場合であっても、ヘッドの交換時期を正確に予測することができる熱転写型プリンタを提供する。【解決手段】プリンタシステムＳのＰＣ２は、基本色と、基本色とは熱伝導率の異なる特殊色とからなる複数の印画色を有するインクリボン１１〜１６の印画色ごとの印画距離の総和を求めることにより、印画ヘッド１７の消耗度を算出するプリンタドライバ２ａを備え、プリンタドライバ２ａは、特殊色に対応して定められたヘッド損失係数を特殊色の印画距離に乗じることにより当該印画距離を換算し、換算後の印画距離を用いて総和を求める。【選択図】図３
2014019080.tif 000002
【特許請求の範囲】
【請求項１】
基本色を含む複数の印画色を有するインクリボンに印画対象物が押し当てられて、ヘッドを用いた熱転写によって前記印画対象物に印画する熱転写型プリンタにおいて、
前記基本色と、前記基本色とは熱伝導率の異なる特殊色とからなる複数の印画色を有する前記インクリボンの前記印画色ごとの印画距離の総和を求めることにより、前記ヘッドの消耗度を算出する算出部を備え、
前記算出部は、前記特殊色に対応して定められたヘッド損失係数を前記特殊色の印画距離に乗じることにより当該印画距離を換算し、換算後の印画距離を用いて前記総和を求めることを特徴とする熱転写型プリンタ。
【請求項２】
前記算出部は、前記基本色に共通の共通係数を前記基本色の印画距離に乗じることにより当該印画距離を換算し、換算後の印画距離を用いて前記総和を求めることを特徴とする請求項１記載の熱転写型プリンタ。
【請求項３】
基本色を含む複数の印画色を有するインクリボンに印画対象物が押し当てられて、ヘッドを用いた熱転写によって前記印画対象物に印画する熱転写型プリンタシステムにおいて、
前記基本色と、前記基本色とは熱伝導率の異なる特殊色とからなる複数の印画色を有する前記インクリボンの前記印画色ごとの印画距離の総和を求めることにより、前記ヘッドの消耗度を算出する算出部を備え、
前記算出部は、前記特殊色に対応して定められたヘッド損失係数を前記特殊色の印画距離に乗じることにより当該印画距離を換算し、換算後の印画距離を用いて前記総和を求めることを特徴とする熱転写型プリンタシステム。
【発明の詳細な説明】
【技術分野】
【０００１】
本発明は、特に、インクリボンおよびヘッドを用いた熱転写によって印画対象物に印画する熱転写型プリンタおよび熱転写型プリンタシステムに関する。
【背景技術】
【０００２】
従来、特許文献１に記載されるように、プリントカウンタによってプリント枚数を記憶する印刷装置（プリンタ）が知られている。この装置では、プリント枚数を動作時間情報として記憶することにより、ユーザまたはサービスマンがその動作時間情報を見て、プリンタの交換部品である現像ドラム等の交換時期を予測できるようにしている。
【０００３】
一方、特許文献２および特許文献３に記載されるように、Ｙ（イエロー）、Ｍ（マゼンダ）、およびＣ（シアン）の各色のインクを備え、さらに金または銀等といった色のインクを備えた印刷装置（プリンタ）が知られている。
【先行技術文献】
【特許文献】
【０００４】
【特許文献１】特開２００４−９４３５号公報
【特許文献２】特開２００３−１４５８４６号公報
【特許文献３】実用新案登録第３０８４２６５号公報
【発明の概要】
【発明が解決しようとする課題】
【０００５】
特許文献１に記載のプリンタでは、プリント枚数をカウントすることにより、交換部品の交換時期を予測している。しかしながら、たとえば１枚あたりの印画距離が印画対象物によって異なる場合には、結果的に交換部品の消耗度も印画対象物ごとに異なることとなる。よって、このプリンタでは、交換部品の交換時期を正確に予測することは難しい。また、近年、金または銀等といった特殊色を有するインクリボンが採用されることがあるが、特許文献２および特許文献３には、金または銀等といった色を有するインクリボンを用いた場合における、交換部品の管理手法は開示されていない。
【０００６】
このような背景から、ヘッドを用いた熱転写によって印画を行う熱転写型プリンタにおいて、交換部品のひとつであるヘッドの交換時期を正確に予測することができる技術が求められている。しかも、金または銀等といった特殊色を有するインクリボンを用いた場合であっても、ヘッドの交換時期を正確に予測することができる技術が求められている。
【０００７】
本発明は、金または銀等といった特殊色を有するインクリボンを用いた場合であっても、ヘッドの交換時期を正確に予測することができる熱転写型プリンタおよび熱転写型プリンタシステムを提供することを目的とする。
【課題を解決するための手段】
【０００８】
本発明は、基本色を含む複数の印画色を有するインクリボンに印画対象物が押し当てられて、ヘッドを用いた熱転写によって印画対象物に印画する熱転写型プリンタにおいて、基本色と、基本色とは熱伝導率の異なる特殊色とからなる複数の印画色を有するインクリボンの印画色ごとの印画距離の総和を求めることにより、ヘッドの消耗度を算出する算出部を備え、算出部は、特殊色に対応して定められたヘッド損失係数を特殊色の印画距離に乗じることにより当該印画距離を換算し、換算後の印画距離を用いて総和を求めることを特徴とする。
【０００９】
この熱転写型プリンタのインクリボンは、基本色と、基本色とは熱伝導率の異なる特殊色とからなる複数の印画色を有する。特殊色としては、たとえば金または銀が挙げられる。本発明によれば、印画色ごとの印画距離の総和によってヘッドの消耗度が算出されるため、たとえば１枚あたりの印画距離が印画対象物によって異なる場合でも、ヘッドの消耗度が正確に算出される。ここで、ヘッドの消耗度の算出においては、算出部によって、特殊色に対応して定められたヘッド損失係数が特殊色の印画距離に乗じられ、当該印画距離が換算される。特殊色の熱伝導率は、基本色の熱伝導率とは異なるため、特殊色を印画した場合のヘッドの消耗は、基本色を印画した場合のヘッドの消耗とは異なると考えられる。算出部によって、換算後の印画距離がヘッドの消耗度の算出における総和に用いられるため、特殊色の印画距離にヘッド損失係数が加味されることとなる。これにより、ヘッドの消耗度がより正確に算出される。よって、熱転写型プリンタにおいて、金または銀等といった特殊色を有するインクリボンを用いた場合であっても、ヘッドの交換時期を正確に予測することができる。
【００１０】
また、熱転写型プリンタにおいて、算出部は、基本色に共通の共通係数を基本色の印画距離に乗じることにより当該印画距離を換算し、換算後の印画距離を用いて総和を求める。基本色が複数ある場合でも、基本色の種類によって、ヘッドの消耗は大きく違わないと考えられる。この場合、基本色の印画距離には共通係数が乗じられるため、ヘッドの消耗度は正確に算出される。また、基本色が複数ある場合でも、共通係数を用いるため、演算の負荷を低減することができる。
【００１１】
また、本発明は、基本色を含む複数の印画色を有するインクリボンに印画対象物が押し当てられて、ヘッドを用いた熱転写によって印画対象物に印画する熱転写型プリンタシステムにおいて、基本色と、基本色とは熱伝導率の異なる特殊色とからなる複数の印画色を有するインクリボンの印画色ごとの印画距離の総和を求めることにより、ヘッドの消耗度を算出する算出部を備え、算出部は、特殊色に対応して定められたヘッド損失係数を特殊色の印画距離に乗じることにより当該印画距離を換算し、換算後の印画距離を用いて総和を求めることを特徴とする。
【発明の効果】
【００１２】
本発明によれば、金または銀等といった特殊色を有するインクリボンを用いた場合においても、ヘッドの交換時期を正確に予測することができる。
【図面の簡単な説明】
【００１３】
【図１】本発明に係るプリンタシステムの一実施形態を概略的に示すブロック構成図である。
【図２】図１中のプリンタの制御部における印画処理を示すフローチャートである。
【図３】図１中のＰＣのプリンタドライバにおけるヘッドの交換寿命算出処理を示すフローチャートである。
【発明を実施するための形態】
【００１４】
以下、本発明の実施形態について、図面を参照しながら説明する。
【００１５】
図１に示されるように、プリンタシステムＳは、溶融型の熱転写型プリンタであるプリンタ１と、プリンタ１を操作するためのホストコンピュータであるＰＣ２とを備える。プリンタ１は、インクリボン１１〜１６に印画対象物であるロールペーパ１８が押し当てられて、ヘッド１７を用いた熱転写によってロールペーパ１８に印画を行うものである。ＰＣ２は、プリンタ１と通信可能に接続されて、ユーザによって操作されるコンピュータである。すなわち、ユーザは、ＰＣ２を操作することにより、プリンタ１を用いた印画を行う。プリンタ１は、ＰＣ２のローカルプリンタであってもよく、また、ＰＣ２のネットワークプリンタであってもよい。
【００１６】
プリンタ１は、ロールペーパ１８への印画を行う印画部１０と、印画部１０を制御する制御部２０とを備えている。プリンタ１は、印画部１０および制御部２０を収容する筐体と、ユーザによって操作される操作部と、ディスプレイと（いずれも図示せず）を備える。
【００１７】
プリンタ１の印画部１０は、第１リボン１１、第２リボン１２、第３リボン１３、第４リボン１４、第５リボン１５、および第６リボン１６の６種類のインクリボンを有する。第１リボン１１、第２リボン１２、および第３リボン１３には、イエロー、マゼンダ、およびシアンのインクがそれぞれ塗布されている。第４リボン１４には、オーバーコートが塗布されている。第５リボン１５および第６リボン１６には、金および銀の顔料が蒸着されている。第１リボン１１〜第４リボン１４は、基本色のインクリボンに相当する。第５リボン１５および第６リボン１６は、特殊色のインクリボンに相当する。特殊色とは、基本色とは熱伝導率の異なる印画色である。
【００１８】
このように、プリンタ１は、複数種類の印画色をそれぞれ有する複数のインクリボンを備えている。すなわち、プリンタ１のインクリボンは、印画色ごとに別体である。以下の説明では、複数のインクリボンのうち、特定の種類のインクリボンを「リボン種」ともいう。プリンタ１は、６個のインクリボンを搭載可能になっている。プリンタ１に搭載するインクリボンの印画色の種類は、自由に設定することができる。インクリボンの種類は上記の６種類に限られない。基本色のインクリボンとして、黒のインクが塗布されたものを用いてもよい。また、特殊色のインクリボンとして、ホログラムが蒸着されたものを用いてもよい。
【００１９】
プリンタ１の印画部１０は、熱転写を行うための１組の印画ヘッド１７とプラテンローラ（不図示）と、印画ヘッド１７および第１リボン１１〜第６リボン１６によって画像が熱転写されるロールペーパ１８とを有する。印画ヘッド１７は、基板上の印画ラインに沿って微小発熱体が一次元的に配列された構造を有している。ロールペーパ１８に用いられるペーパ種としては、たとえば普通紙、シール紙等、複数の種類が挙げられる。さらに、印画部１０には、制御部２０によって制御されて、第１リボン１１〜第６リボン１６のいずれか１つ（すなわち指定されたリボン種。）を印画ヘッド１７とロールペーパ１８との間に移送する移送機構（図示せず）が設けられている。移送機構は、第１リボン１１〜第６リボン１６のうち指定されたリボン種を順次移送する。
【００２０】
ロールペーパ１８は、第１リボン１１〜第６リボン１６のいずれか１つに押し当てられる。ロールペーパ１８は、パルスモータ（図示せず）の駆動によって回転させられる。ロールペーパ１８および第１リボン１１〜第６リボン１６のいずれか１つが、同期させられながら一方向に送られることで、加熱状態の印画ヘッド１７によって、第１リボン１１〜第６リボン１６のいずれか１つの色がロールペーパ１８上に熱転写される。プリンタ１では、印画距離、すなわち上記した一方向においてロールペーパ１８に印画が行われる距離は、適宜設定可能であり、可変になっている。
【００２１】
別の印画色にて印画が行われる際は、印画ヘッド１７が一旦後退し、移送機構によって、インクリボンが搬出・移送されて交換される。その間、ロールペーパ１８は逆方向に送られ、元の位置に戻される。その後、上記の転写動作が繰り返される。このようにして、ロールペーパ１８上に各種の印画色が重層され、所定のカラー画像がロールペーパ１８上に作り出される。ロールペーパ１８には、たとえば写真が印画される。写真に限られず、プリンタ１を用いて、ラベル、シール、またはポスターといった印刷物、案内状などをロールペーパ１８に印刷することができる。ロールペーパ１８の近傍には、ロールペーパ１８への印画後にロールペーパ１８をカットするためのカッタ（図示せず）が設けられる。
【００２２】
制御部２０は、ＣＰＵ（Central  Processing  Unit）２１と、ＥＥＰＲＯＭ（Electrically  Erasable  Programmable  ROM）またはフラッシュＲＯＭ等のデータ書き換え可能な不揮発性メモリであるＲＯＭ（Read  Only  Memory）によって構成されるメモリ２２とを含んで構成されている。制御部２０は、ＲＡＭ（Random  Access  Memory）を有してもよい。制御部２０は、メモリ２２に格納されているプログラムコード及びデータを読み出すことにより、プリンタ１全体の動作制御を行う。特に、制御部２０は、プリンタ１を制御して、プリンタ１における印画処理を実行する。
【００２３】
ＰＣ２は、プリンタ１を制御するための制御部であるプリンタドライバ２ａと、記憶部であるメモリ２ｂとを有する。また、ＰＣ２は、マウスおよびキーボード等からなる操作部２ｃと、液晶ディスプレイ等からなるモニタ２ｄとを有する。ＰＣ２は、ＣＰＵ、ＲＯＭ、ＲＡＭ、およびハードディスク等を有して構成される。プリンタドライバ２ａは、プリンタ１の印画ヘッド１７の消耗度を算出し、印画ヘッド１７の交換寿命を管理する。すなわち、プリンタドライバ２ａは、ヘッド管理装置の算出部としても機能する。メモリ２ｂには、基本色に対応して予め定められた共通係数、および、特殊色のそれぞれに対応して予め定められたヘッド損失係数が記憶されている。これらの係数は、プリンタドライバ２ａによる印画距離の換算において用いられる換算係数である。
【００２４】
図２を参照して、プリンタ１の制御部２０によって実行される印画処理について説明する。
【００２５】
まず、制御部２０のＣＰＵ２１は、ＰＣ２のプリンタドライバ２ａから、印画されるリボン種およびペーパ種を受信する(ステップＳ１)。ここでは、ＰＣ２のプリンタドライバ２ａによって、１または複数のリボン種が指定されており、ＣＰＵ２１が、そのリボン種およびペーパ種に関する情報を取得する。次に、ＣＰＵ２１は、印画部１０を制御して、指定されたリボン種を用いたロールペーパ１８への印画を行う（ステップＳ２）。
【００２６】
次に、ＣＰＵ２１は、リボン種毎およびペーパ種毎の印画距離に関する情報を取得し、取得した印画距離をメモリ２２に記録する（ステップＳ３）。このステップＳ３では、ＣＰＵ２１は、ロールペーパ１８に設けられたパルスモータのパルスをカウントすることにより、印画距離を取得し、取得した印画距離を、リボン種およびペーパ種を示す情報と共にメモリ２２に記憶させる。この印画距離の記録にあたっては、ＣＰＵ２１は、既に記憶されている印画距離に、新たに取得した印画距離を加算する。
【００２７】
次に、ＣＰＵ２１は、次に印画されるリボン種があるか否かを判断する（ステップＳ４）。ＰＣ２のプリンタドライバ２ａによって、次に印画されるリボン種が指定されている場合、ＣＰＵ２１は、次に印画されるリボン種があると判断し（ステップＳ４；ＹＥＳ）、ステップＳ１の処理に戻る。
【００２８】
ＰＣ２のプリンタドライバ２ａによって、次に印画されるリボン種が指定されていない場合、すなわち、指定されたすべての印画種による印画が終了している場合、ＣＰＵ２１は、次に印画されるリボン種はないと判断する（ステップＳ４；ＮＯ）。ＣＰＵ２１は、カッタを駆動制御することにより、ロールペーパ１８をカットする（ステップＳ５）。次に、ＣＰＵ２１は、カット回数を記録し、（ステップＳ６）処理を終了する。このステップＳ６では、ＣＰＵ２１は、既にメモリ２２に記憶されているカット回数を１増やす。以上一連の処理によって、プリンタ１の制御部２０による印画処理が実行される。
【００２９】
図３を参照して、ＰＣ２のプリンタドライバ２ａによって実行される印画ヘッド１７の交換寿命算出処理について説明する。以下の交換寿命算出処理は、プリンタ１における印画処理毎に実行されてもよいし、定期的に実行されてもよい。
【００３０】
まず、ＰＣ２のプリンタドライバ２ａは、トータル寿命カウンタのカウンタ値をメモリ２ｂから読み込む（ステップＳ１１）。トータル寿命カウンタとは、プリンタ１が使用を開始されてからの全印画色における全印画距離の総和である。すなわち、トータル寿命カウンタは、プリンタ１としての動作時間情報に相当する。トータル寿命カウンタは、プリンタ１の使用中、印画ヘッド１７や他の交換部品が交換されても、リセットされることなく累積され続ける。
【００３１】
次に、プリンタドライバ２ａは、リボン種毎およびペーパ種毎の印画距離をプリンタ１の制御部２０のメモリ２２から読み込む（ステップＳ１２）。プリンタドライバ２ａは、メモリ２２から印画距離を読み込むと、メモリ２２に記憶された印画距離を初期化、すなわちゼロにする。
【００３２】
次に、プリンタドライバ２ａは、各リボン種に関して、基本色を基準とした印画距離への換算を行う（ステップＳ１３）。このステップＳ１３では、プリンタドライバ２ａは、下記式（１）によって印画距離の換算を行い、印画色ごとの印画ヘッド１７の消耗度の増加分ΔＤｉを算出する。
【数１】
2014019080.tif 000003
ここで、
ΔＤｉ：印画色ごとの印画ヘッド１７の消耗度の増加分（インチ）
ａｉ：第ｉ番目のインクリボンに対応した共通係数またはヘッド損失係数
Ｌｉ：第ｉ番目のインクリボンの印画距離（インチ）
である。
【００３３】
より具体的には、第１リボン１１〜第４リボン１４に関しては、ａｉは共通係数とされ、その数値は１である。すなわち、基本色に関して印画ヘッド１７の消耗度を算出するにあたり、プリンタドライバ２ａは、印画距離そのものを用いる。すなわち、第１リボン１１〜第４リボン１４に関しては、換算後の印画距離は換算前の実際の印画距離と同じである。一方、第５リボン１５および第６リボン１６に関しては、ａｉは各特殊色に固有のヘッド損失係数とされ、その数値は１よりも大きい。すなわち、特殊色に関して印画ヘッド１７の消耗度を算出するにあたり、プリンタドライバ２ａは、印画距離に１よりも大きいヘッド損失係数を乗じることにより、当該印画距離を基本色相当の印画距離に換算する。
【００３４】
たとえば、イエローである第１リボン１１が１０インチ印画された場合と、金である第５リボン１５が１０インチ印画された場合とでは、印画ヘッド１７の消耗度が異なる。これは、金の熱伝導率（言い換えれば発熱量）は、イエローの熱伝導率とは異なることに起因する。金の印画色に関するヘッド損失係数が１．２であるとする。金である第５リボン１５が１０インチ印画された場合、イエローである第１リボン１１相当の印画距離に換算すると、第５リボン１５における換算後の印画距離は１２インチとなる。
【００３５】
次に、プリンタドライバ２ａは、トータル寿命カウンタに、ステップＳ１３で算出した印画ヘッド１７の消耗度の増加分ΔＤを加算する（ステップＳ１４）。この加算処理は、印画色ごとの印画距離の総和を求める演算処理に相当する。次に、プリンタドライバ２ａは、すべてのリボン種およびペーパ種で計算をしたか否かを判断する（ステップＳ１５）。すべてのリボン種およびペーパ種で計算をしていないと判断すると（ステップＳ１５；ＮＯ）、プリンタドライバ２ａは、ステップＳ１２の処理に戻る。すべてのリボン種およびペーパ種で計算をしたと判断すると（ステップＳ１５；ＹＥＳ）、プリンタドライバ２ａは、モニタ２ｄにトータル寿命カウンタおよび個別データを表示する（ステップＳ１６）。
【００３６】
すべてのリボン種で計算が行われた場合、この一連の交換寿命算出処理において算出および加算された印画ヘッド１７の消耗度の増加分ΔＤは、以下の式（２）によって表される。
【数２】
2014019080.tif 000004
【００３７】
ステップＳ１６で表示される個別データとは、印画距離の総和によって算出された印画ヘッド１７の消耗度Ｄおよびカッタによるカット回数である。プリンタドライバ２ａは、印画ヘッド１７の消耗度Ｄを求めるにあたり、現在使用されている印画ヘッド１７が初めて装着された時の（すなわち使用開始時の）トータル寿命カウンタをメモリ２ｂに記憶しており、ステップＳ１４で得られるトータル寿命カウンタのカウンタ値から使用開始時のカウンタ値を減算する。プリンタドライバ２ａは、この減算処理により、現在使用されている印画ヘッド１７の消耗度Ｄを算出する。すなわち、プリンタドライバ２ａは、第１リボン１１〜第６リボン１６の印画色ごとの印画距離の総和を求めることにより、印画ヘッド１７の消耗度Ｄを算出する。
【００３８】
プリンタ１のユーザまたはサービスマンは、印画ヘッド１７の消耗度Ｄを参照して、印画ヘッド１７のメーカーから示された標準寿命と現在の消耗度Ｄとを比較することにより、印画ヘッド１７の交換時期が近いか否か、あるいは交換が必要か否かを判断することができる。
【００３９】
以上説明したプリンタ１では、インクリボンは、基本色を有する第１リボン１１〜第４リボン１４と、特殊色を有する第５リボン１５および第６リボン１６から構成される。上記のＰＣ２によれば、印画色ごとの印画距離の総和によって印画ヘッド１７の消耗度Ｄが算出されるため、たとえば１枚あたりの印画距離が印画対象物によって異なる場合でも、印画ヘッド１７の消耗度Ｄが正確に算出される。ここで、印画ヘッド１７の消耗度Ｄの算出においては、プリンタドライバ２ａによって、特殊色に対応して定められたヘッド損失係数が特殊色の印画距離に乗じられ、当該印画距離が換算される。特殊色の熱伝導率は、基本色の熱伝導率とは異なるため、特殊色を印画した場合の印画ヘッド１７の消耗は、基本色を印画した場合の印画ヘッド１７の消耗とは異なる。プリンタドライバ２ａによって、換算後の印画距離（ａｉ×Ｌｉ）が印画ヘッド１７の消耗度Ｄの算出における総和に用いられるため、特殊色の印画距離にヘッド損失係数が加味されることとなる。これにより、印画ヘッド１７の消耗度がより正確に算出される。よって、熱転写型プリンタ１において、金または銀等といった特殊色を有するインクリボンを用いた場合であっても、印画ヘッド１７の交換時期を正確に予測することができる。
【００４０】
また、基本色の印画距離には共通係数が乗じられる。基本色が複数ある場合でも、基本色の種類によって、ヘッドの消耗は大きく違わないと考えられる。よって、印画ヘッド１７の消耗度Ｄは正確に算出される。また、基本色が複数ある場合でも、共通係数を用いるため、プリンタドライバ２ａにおける演算の負荷を低減することができる。
【００４１】
以上、本発明の実施形態について説明したが、本発明は上記実施形態に限られるものではない。たとえば、ＰＣ２がヘッド管理装置の算出部の機能を有する場合に限られず、プリンタ１がヘッド管理装置の算出部の機能を有してもよい。また、プリンタ１の一部とＰＣ２の一部とによってヘッド管理装置の算出部が構成されてもよい。上記実施形態では、インクリボンが印画色ごとに別体とされる場合について説明したが、１個のインクリボンに複数の印画色が順に塗布されたタイプであってもよい。また、プリンタは、複数の基本色が塗布されたインクリボンと、複数の特殊色が蒸着されたインクリボンとを有してもよい。
【００４２】
上記実施形態では、印画ヘッド１７および第１リボン１１〜第６リボン１６によってロールペーパ１８に直接印画が行われるタイプの熱転写型プリンタについて説明したが、プリンタはこれに限られない。いったんフィルムに熱転写し、フィルムからカード等の記録媒体へ再転写を行う中間転写型のプリンタに本発明を適用することもできる。この場合、フィルムが本発明の印画対象物に相当する。また、上記実施形態では、メモリ２２に記憶された実際の印画距離を読み込んでからヘッド損失係数を乗じたが、メモリ２２に記憶させる時点でヘッド損失係数を乗じ、これをメモリ２２から読み出して足し合わせてもよい。
【００４３】
基本色に用いられる共通係数は、１でなくてもよい。共通係数は、一定である場合に限られず、印画ヘッド１７の使用時間が増加すると共に増加させてもよい。特殊色に用いられるヘッド損失係数は、１より大きい場合に限られず、１未満であってもよい。ヘッド損失係数も、一定である場合に限られず、印画ヘッド１７の使用時間が増加すると共に増加させてもよい。また、ペーパ種を印画距離の換算に加味してもよい。カッタによるカット回数をカッタの交換寿命の管理に用いてもよい。
【００４４】
基本色とは熱伝導率の異なる特殊色を印画する熱転写型プリンタであれば、溶融型に限らず、昇華型であってもよい。
【符号の説明】
【００４５】
１…プリンタ、２…ＰＣ、２ａ…プリンタドライバ（算出部）、１１〜１６…第１リボン〜第６リボン（インクリボン）、１７…印画ヘッド（ヘッド）、１８…ロールペーパ（印画対象物）、Ｓ…プリンタシステム。
【図１】
2014019080.tif 000005
【図２】
2014019080.tif 000006
【図３】
2014019080.tif 000007